(57)【要約】  簡便で観念し易い一貫性のある操作を実現することができる紐留め具を提供する。紐留め具１０は、一対のスライダー１６，１７が収容されるケース１２と、このケース１２に収容される第１スライダー１６及び第２スライダー１７とを有し、通された紐１が収縮する際、第２スライダー１７の突部２５ｂが、収縮する紐１に引っ掛かかることで、第２スライダー１７が引き上げられ、突部２５ａ，ｂ同士が対面することで、突部２５ａ，ｂ同士の間に紐１が係止する。
2020204023.tif 000002
【特許請求の範囲】
【請求項１】
紐が通されると共に、この紐に沿って縦列した一対のスライダーと、
一対の前記スライダーが収容されたケースと、を有し、
一対の前記スライダーが互いに離れた状態において、自在に前記紐と相対的に変位し、
一対の前記スライダーが互いに近づいた状態において、前記紐が一対の前記スライダー同士の間で係止される、
ことを特徴とする紐留め具。
【請求項２】
一対の前記スライダーが、前記紐に向けて突出した突部を有し、
一対の前記スライダーが互いに近づいた状態において、前記突部が対面する、
ことを特徴とする請求項１に記載された紐留め具。
【請求項３】
前記紐が、長さ方向に伸縮可能な弾性紐である、
ことを特徴とする請求項１又は請求項２に記載された紐留め具。
【請求項４】
収縮する前記紐に、一方の前記スライダーの前記突部が引っ掛かることで、当該スライダーが移動する、
ことを特徴とする請求項２を引用する請求項３に記載された紐留め具。
【請求項５】
一対の前記スライダーが互いに近づいた状態において、前記ケースが前記紐に沿って片方の前記スライダーを押すことで、一対の前記スライダーが互いに離れる、
ことを特徴とする請求項１から請求項４のいずれか１項に記載された紐留め具。
【請求項６】
前記ケースの内面に、前記紐の長手方向に沿った内側ガイド部を有し、
一対の前記スライダーの外面に、前記内側ガイド部に嵌合した外側ガイド部を有する、
ことを特徴とする請求項１から請求項５のいずれか１項に記載された紐留め具。
【請求項７】
一対の前記スライダーが、前記ケースの端部に前記ケースの外側から係止する外側抜け止め部と、前記ケースの端部に内側から係止する内側抜け止め部とを有する、
ことを特徴とする請求項１から請求項６のいずれか１項に記載された紐留め具。
【請求項８】
前記ケースが筒状であり、
一対の前記スライダーが、筒状であると共に互いに同じ形状であり、
それぞれの前記スライダーが、前記ケースの内側に配置されると共に筒状における軸方向の先端部が段違いに形成された胴部と、前記先端部と反対側に連接されて前記ケースの端部の外側に配置され、当該胴部よりも直径が大きい頭部と、を有する、
ことを特徴とする請求項１から請求項７のいずれか１項に記載された紐留め具。
【発明の詳細な説明】
【技術分野】
【０００１】
本発明は、通された紐に係止する紐留め具に関するものである。
【背景技術】
【０００２】
従来、例えば、フード付きの衣服やスニーカーなどは、紐を適当な長さで留めておくものとして、下記特許文献１に記載された紐留め具がある。この紐留め具は、上下に孔が貫通し、この孔に紐が通されている。紐留め具は、ソケットとプラグとが嵌合したものであり、それぞれの孔に紐が通されている。ソケットは、プラグに対して、孔を軸として回転する。ソケットが回転すると、孔が偏心し、孔の中で紐が曲げられる。曲がった紐と紐留め具とは、相対的な移動が規制される。したがって、例えば、フードの紐が適当な長さで、紐留め具によって留められることで、フードは、絞られた状態を維持する。
【先行技術文献】
【特許文献】
【０００３】
【特許文献１】特公昭６４−１１２８１号公報
【発明の概要】
【発明が解決しようとする課題】
【０００４】
上記した紐留め具によれば、紐留め具の位置を変える操作は、紐に沿って紐留め具を移動させ、又は、紐留め具に対して紐を引っ張るものであり、一方で、紐留め具を紐に留める操作は、ソケットをプラグに対して回転させるものである。したがって、両操作は相違し、操作し辛い場合がある。【０００５】
本発明は、この様な実情に鑑みて提案されたものである。すなわち、簡便で観念し易い一貫性のある操作を実現することができる紐留め具の提供を目的とする。
【課題を解決するための手段】
【０００６】
上記目的を達成するために、本発明に係る紐留め具は、紐が通されると共に、この紐に沿って縦列した一対のスライダーと、一対の前記スライダーが収容されたケースと、を有し、一対の前記スライダーが互いに離れた状態において、自在に前記紐と相対的に変位し、一対の前記スライダーが互いに近づいた状態において、前記紐が一対の前記スライダー同士の間で係止される、ことを特徴とする。
本発明に係る紐留め具は、前記紐が、長さ方向に伸縮可能な弾性紐である、ことを特徴とする。なお、この場合、紐留め具は、弾性を有する紐が通されると共に、この紐に沿って縦列した一対のスライダーと、一対の前記スライダーが収容されたケースと、を有し、一対の前記スライダーが互いに離れた状態において、自在に前記紐と相対的に変位し、伸長した前記紐が収縮することによって、一対の前記スライダーが互いに近づくと共に前記紐が一対の前記スライダー同士の間で係止される、ことを特徴とする。【０００７】
本発明に係る紐留め具は、一対の前記スライダーが、前記紐に向けて突出した突部を有し、一対の前記スライダーが互いに近づいた状態において、前記突部が対面する、ことを特徴とする。【０００８】
本発明に係る紐留め具は、収縮する前記紐に、一方の前記スライダーの前記突部が引っ掛かることで、当該スライダーが移動する、ことを特徴とする。【０００９】
本発明に係る紐留め具は、一対の前記スライダーが互いに近づいた状態において、前記ケースが前記紐に沿って片方の前記スライダーを押すことで、一対の前記スライダーが互いに離れる、ことを特徴とする。【００１０】
本発明に係る紐留め具は、前記ケースの内面に、前記紐の長手方向に沿った内側ガイド部を有し、一対の前記スライダーの外面に、前記内側ガイド部に嵌合した外側ガイド部を有する、ことを特徴とする。【００１１】
本発明に係る紐留め具は、一対の前記スライダーが、前記ケースの端部に前記ケースの外側から係止する外側抜け止め部と、前記ケースの端部に内側から係止する内側抜け止め部とを有する、ことを特徴とする。【００１２】
本発明に係る紐留め具は、前記ケースが筒状であり、一対の前記スライダーが、筒状であると共に互いに同じ形状であり、それぞれの前記スライダーが、前記ケースの内側に配置されると共に筒状における軸方向の先端部が段違いに形成された胴部と、前記先端部と反対側に連接されて前記ケースの端部の外側に配置され、当該胴部よりも直径が大きい頭部と、を有する、ことを特徴とする。
【発明の効果】
【００１３】
本発明に係る紐留め具は、紐が通されると共に、この紐に沿って縦列した一対のスライダーと、一対のスライダーが収容されたケースと、を有し、一対のスライダーが互いに離れた状態において、自在に紐と相対的に変位し、一対のスライダーが互いに近づいた状態において、紐が一対のスライダー同士の間で係止される。すなわち、紐留め具の位置を変える操作は、紐に沿って紐留め具を移動させ、又は、紐留め具に対して紐を引っ張るものであり、一方で、紐留め具を紐に留める操作は、紐を外力から解放するものである。したがって、簡便で観念し易く、一貫性のある操作が実現する。なお、紐が、長さ方向に伸縮可能な弾性紐であって、本発明に係る紐留め具が、弾性を有する紐が通されると共に、この紐に沿って縦列した一対のスライダーと、この一対のスライダーが収容されたケースとを有し、一対のスライダーが互いに離れた状態において、自在に紐と相対的に変位し、伸長した紐が収縮することによって、一対のスライダーが互いに近づくと共に紐が一対のスライダー同士の間で係止される構成であれば、紐留め具を紐に留める操作は、伸長させた紐を外力から解放するものである。また、紐が収縮する際、片方のスライダーは、紐に追随して自動的にもう片方のスライダーに近づき、スライダー同士の間で紐が係止される。【００１４】
本発明に係る紐留め具は、一対のスライダーが、紐に向けて突出した突部を有し、一対のスライダーが互いに近づいた状態において、突部が対面する。この構成により、一対のスライダーが互いに近づくことで、突部同士が対面して間に紐が挟まる。換言すれば、一対のスライダーが互いに離れた状態では、突部同士が紐の長手方向においてずれているため、突部同士の隙間を紐が通り抜ける。すなわち、一対のスライダーが、紐の長手方向に移動することで、紐留め具は、紐に係止した状態と、紐に対して位置を変えることができる状態とに変化する。したがって、簡便で観念し易く、一貫性のある操作が実現する。【００１５】
本発明に係る紐留め具は、収縮する紐に、一方のスライダーの突部が引っ掛かることで、当該スライダーが移動する。すなわち、紐が収縮する際、片方のスライダーの突部が、収縮する紐に引っ掛かることで、このスライダーが、もう片方のスライダーに近づけられ、スライダー同士の間で紐が係止される。したがって、紐の収縮を利用することで、紐留め具を紐に留める操作が実現する。【００１６】
本発明に係る紐留め具は、一対のスライダーが互いに近づいた状態において、ケースが紐に沿って片方のスライダーを押すことで、一対のスライダーが互いに離れる。スライダーが互いに離れることで、紐留め具は、紐に沿って自在に移動する。すなわち、スライダーに挟まれた紐を解放する操作は、スライダーを紐に沿って移動させるものであり、この操作は、紐に沿って紐留め具を移動させて（又は、紐留め具に対して紐を引っ張って）紐留め具の位置を変える操作に連続している。したがって、簡便で観念し易く、一貫性のある操作が実現する。【００１７】
本発明に係る紐留め具は、ケースの内面に、紐の長手方向に沿った内側ガイド部を有し、一対のスライダーの外面に、内側ガイド部に嵌合した外側ガイド部を有している。すなわち、内側ガイド部及び外側ガイド部を介在することで、ケースとスライダーとが直線上で変位するように案内される。【００１８】
本発明に係る紐留め具は、一対のスライダーが、ケースの端部にケースの外側から係止する外側抜け止め部と、ケースの端部に内側から係止する内側抜け止め部とを有している。すなわち、スライダーは、ケースから外れることなく、各抜け止め部の範囲においてケースに対して移動し、換言すれば、ケースは、スライダーから外れることなく、各抜け止め部の範囲においてスライダーに対して移動する。したがって、簡便な操作が実現する。【００１９】
本発明に係る紐留め具は、ケースが筒状であり、一対のスライダーが、筒状であると共に互いに同じ形状であり、それぞれのスライダーが、ケースの内側に配置されると共に筒状における軸方向の先端部が段違いに形成された胴部と、先端部と反対側に連接されてケースの端部の外側に配置され、当該胴部よりも直径が大きい頭部とを有している。紐留め具は、ケース及び一対のスライダーの三部材から構成されるところ、各スライダーの構成が同一であるため、ケース及びスライダーの二種類の部材で構成され、簡便である。
【図面の簡単な説明】
【００２０】
【図１】図１（ａ）は、本発明の実施形態に係る紐留め具の斜視図である。図１（ｂ）は前面から視した紐留め具の正面図である。図１（ｃ）は、紐留め具を右方から視した右側面図である。図１（ｄ）は、紐留め具を上方又は下方から視した平面図又は底面図である。
【図２】図２（ａ）は、本発明の実施形態に係る紐留め具の分解斜視図である。図２（ｂ）は、図２（ａ）と異なる向きから視したスライダーの斜視図である。
【図３】図３（ａ）は、本発明の実施形態に係る紐留め具におけるケースの正面図である。図３（ｂ）は、図３（ａ）のＩＩＩｂ−ＩＩＩｂ断面図である。図３（ｃ）は、ケースの側面図である。図３（ｄ）は、図３（ｃ）のＩＩＩｄ−ＩＩＩｄ断面図である。図３（ｅ）は、ケースの底面図である。
【図４】図４（ａ）は、本発明の実施形態に係る紐留め具におけるスライダーの正面図である。図４（ｂ）は、スライダーの右側面図である。図４（ｃ）は、スライダーを後方から視した背面図である。図４（ｄ）は、スライダーの底面図である。
【図５】図５（ａ）は、本発明の実施形態に係る紐留め具の位置を変えることができる状態の断面図である。図５（ｂ）は、紐留め具が紐に留められた状態の断面図である。図５（ｃ）は、紐が紐留め具から解放された状態の断面図である。
【発明を実施するための形態】
【００２１】
以下に、本発明の実施形態に係る紐留め具を図面に基づいて説明する。図１（ａ）（ｂ）（ｃ）（ｄ）は、本発明の実施形態に係る紐留め具１０の外観が示され、図２（ａ）（ｂ）は、分解された紐留め具１０の外観が示されている。
【００２２】
図１（ａ）（ｂ）（ｃ）（ｄ）に示されているとおり、紐留め具１０は、円筒状であり、筒状の中央を長手方向に貫通した孔１１が形成されている。孔１１は、弾性を有する紐１（図５（ａ）参照。）が通される。紐１は、例えば、天然ゴム糸、合成ゴム糸などから織られたゴム紐などである。なお、以下では、筒（又は紐１）の長手方向を上下とし、上下方向と直交する方向を、前後左右とする。
【００２３】
図２（ａ）（ｂ）に示されているとおり、紐留め具１０は、三部材から構成されている。すなわち、紐留め具１０は、一対のスライダー１６，１７が収容されるケース１２と、このケース１２に収容される第１スライダー１６及び第２スライダー１７とを有している。
【００２４】
ここで、各部材１２，１６，１７を図面に基づいて詳説する。図３（ａ）（ｂ）（ｃ）（ｄ）（ｅ）は、ケース１２の外観及び断面が示され、図４（ａ）（ｂ）（ｃ）（ｄ）は、第１スライダー１６の外観が示されている。なお、各スライダー１６，１７は、互いに同じ形状であるため、以下では、片方の第１スライダー１６のみが説明され、同じ構成である第２スライダー１７は、第１スライダー１６と同様の符号が図示されたことをもって説明が省略されている。
【００２５】
図３（ａ）（ｂ）（ｃ）（ｄ）（ｅ）に示されているとおり、ケース１２は、円筒状である。すなわち、ケース１２は、上下に貫通した収容孔１３が内側に形成され、上下端部は開口されている。ケース１２の内面は、互いに対面した一対の内側ガイド部１４ａ，ｂが形成されている。内側ガイド部１４ａ，ｂは、ケース１２の内面に形成された溝であり、上端部から下端部に渡って、上下に向けて直線状に伸びている。前側（図３（ｂ）において左側。）の内側ガイド部１４ａの下端は開放され、一方で、内側ガイド部１４ａの上端であってケース１２の上端部は、閉塞して終端部１５ａを有している。同様に、後ろ側（図３（ｂ）において右側。）の内側ガイド部１４ｂの上端は開放され、一方で、内側ガイド部１４ｂの下端であってケース１２の下端部は、閉塞して終端部１５ｂを有している。終端部１５ａ，ｂは、溝ではなく、内側ガイド部１４ａ，ｂと比較すれば収容孔１３に向けて突出している。
【００２６】
図４（ａ）（ｂ）（ｃ）（ｄ）に示されているとおり、第１スライダー１６は、ほぼ円筒状である。すなわち、第１スライダー１６は、上下に貫通した紐通路孔１８ａが形成され、上下端部は開口されている。第１スライダー１６は、円環状の頭部１９ａと、この頭部１９ａの下方に連接されたほぼ円筒状の胴部２１ａとを有している。頭部１９ａは、胴部２１ａよりも直径が大きく形成され、胴部２１ａと比較して外側に張り出した外側抜け止め部２０ａが形成されている。胴部２１ａは、筒状における軸方向の先端部が段違いに形成されている。すなわち、胴部２１ａは、前側（図４（ｂ）において左側。）が、下方に向けて長く形成された長胴片２２ａであり、後ろ側（図４（ｂ）において右側。）が、長胴片２２ａと比較して短く形成された短胴片２３ａである。長胴片２２ａは、外面に、外側ガイド部２４ａが形成されている。外側ガイド部２４ａは、突起であると共に、頭部１９ａから先端部に渡って、上下に向けて直線状に伸びている。長胴片２２ａは、内面に、紐通路孔１８ａに向けて突出した突部２５ａが形成されている。突部２５ａは、二つの傾斜面が連接されて山型に形成されている。すなわち、突部２５ａは、先端部から上方に向かうにしたがって、紐通路孔１８ａに向けて傾斜した第１傾斜面部２６ａと、この第１傾斜面部２６ａの頂上に連接され、上方に向かうにしたがって、長胴片２２ａ側に向けて傾斜した第２傾斜面部２７ａとから形成されている。一方、短胴片２３ａは、先端部の外面に、内側抜け止め部２８ａが形成されている。内側抜け止め部２８ａは、突起である。
【００２７】
上記のとおり、各部１２，１６，１７が構成されている。ここで、各部１２，１６，１７が組み立てられた状態と動作を図面に基づいて説明する。図５（ａ）（ｂ）（ｃ）は、紐留め具１０の断面であって、動作の状態が示されている。
【００２８】
図５（ａ）（ｂ）（ｃ）に示されているとおり、第１スライダー１６は、ケース１２の上端部側から収容孔１３に挿入されてケース１２の内側に配置される。その際、第１スライダー１６の外側ガイド部２４aが、ケース１２の内側ガイド部１４ｂに嵌合し、第１スライダー１６の内側抜け止め部２８ａが、内側ガイド部１４ａの終端部１５ａを乗り越えて内側ガイド部１４ａに嵌合する。外側ガイド部２４ａが内側ガイド部１４ｂに沿い、内側抜け止め部２８ａが内側ガイド部１４ａに沿うことで、第１スライダー１６がケース１２に対して、上下に直線的に案内される。第１スライダー１６の外側抜け止め部２０ａは、ケース１２の上端部に外側から係止し、内側抜け止め部２８ａは、ケース１２の終端部１５ａに内側から係止する。すなわち、ケース１２の終端部１５ａが、第１スライダー１６の外側抜け止め部２０ａと内側抜け止め部２８ａとの間に配置されることで、ケース１２と第１スライダー１６とは、各抜け止め部２０ａ，２８ａ間の範囲において、相対的に自在に移動が可能である。
【００２９】
同様に、第２スライダー１７は、ケース１２の下端部側から収容孔１３に挿入されてケース１２の内側に配置される。第２スライダー１７の外側ガイド部２４ｂは、ケース１２の内側ガイド部１４ａに嵌合し、第２スライダー１７の内側抜け止め部２８ｂは、内側ガイド部１４ｂの終端部１５ｂを乗り越えて内側ガイド部１４ｂに嵌合する。ケース１２と第２スライダー１７とは、各抜け止め部間２０ｂ，２８ｂの範囲において、相対的に自在に移動が可能である。
【００３０】
第１スライダー１６の長胴片２２ａと第２スライダー１７の短胴片２３ｂとは、上下方向において対面し、同じ内側ガイド部１４ｂに嵌合している。同様に、第１スライダー１６の短胴片２３ａと第２スライダー１７の長短胴片２２ｂとは、上下方向において対面し、同じ内側ガイド部１４ａに嵌合している。
【００３１】
紐１が各スライダー１６，１７の紐流通路１８ａ，ｂに通されると、各スライダー１６，１７は、紐１に沿って縦列した状態となる。各スライダー１６，１７の突部２５ａ，ｂは、紐１に向けて突出しているが、各スライダー１６，１７が離れた状態では、紐１は、突部２５ａ，ｂ同士の間に生じた隙間に通されているため、紐留め具１０と紐１とは、相対的に自在に移動が可能である（図５（ａ）参照。）。一方で、各スライダー１６，１７が近づいた状態では、突部２５ａ，ｂ同士が対面し、紐１に食い込むため、紐留め具１０は、紐１に係止する（図５（ｂ）参照。）。
【００３２】
なお、各部１２，１６，１７が組み立てられた後に、紐留め具１０に紐１が通される場合であってもよく、又、予め紐１に第２スライダー１７、ケース１２、第１スライダー１６が通された状態で、各部１２，１６，１７が組み立てられる場合であってもよい。
【００３３】
上記のとおり組み立てられた紐留め具１０は、次のとおり動作する。なお、以下では、紐留め具１０が、衣服（図示省略。）におけるフードの紐１に取り付けられた場合を前提として説明する。図５（ａ）（ｂ）（ｃ）におけるアイレット２は、紐１が通されるフードの孔に取り付けられているものとする。
【００３４】
図５（ａ）に示されているのは、各スライダー１６，１７が互いに離れた状態であって、自在に紐１と紐留め具１０とが相対的に移動することができる状態（以下、「調節状態」と記す。）である。調節状態では、各スライダー１６，１７が上下方向に向けて離れていることから、各スライダー１６，１７の突部２５ａ，ｂ同士も離れ、突部２５ａ，ｂ同士の間に、紐１が通れる程度の隙間が生じている。ケース１２と各スライダー１６，１７とは、相対的に互いに移動することができるため、使用者がケース１２を把持して紐１に対して上昇させると、スライダー１６，１７同士が離れた状態のまま、各スライダー１６，１７に対してケース１２が移動する。さらにケース１２が上昇し、ケース１２の終端部１５ａが、第１スライダー１６の外側抜け止め部２０ａに係止すると、ケース１２と共に第１スライダー１６が引き上げられて上昇する。同時に、第２スライダー１７の内側抜け止め部２８ｂが、ケース１２の終端部１５ｂに係止し、ケース１２と共に第２スライダー１７も引き上げられて上昇する。なお、ケース１２を下降させると、スライダー１６，１７同士が離れた状態のまま、各スライダー１６，１７に対してケース１２が移動し、上昇する場合と同様に各スライダー１６，１７も引き下げられる。また、紐留め具１０に対して紐１が引っ張られた場合も、上記と同様に動作する。
【００３５】
調節状態において、第１スライダー１６の頭部１９ａがアイレット２に当たった状態で、紐留め具１０に対して紐１が下方に向けて引っ張られると、紐１は、アイレット２との摩擦によって生じた上方への摩擦力と、下方に引っ張られる外力とで伸長する。
【００３６】
図５（ｂ）に示されているのは、各スライダー１６，１７が互いに近づいた状態であって、紐１がスライダー１６，１７同士の間で係止されている状態（以下、「係止状態」と記す。）である。紐１は、下方への外力から解放されると、復元力Ｐによって収縮し、その際、第２スライダー１７の突部２５ｂが、収縮する紐１に引っ掛かかることで、第２スライダー１７が引き上げられ、第１スライダー１６に近づけられる。突部２５ａ，ｂ同士が対面すると、突部２５ａ，ｂ同士の間に紐１が係止するため、紐留め具１０は紐１に対して移動しない。
【００３７】
図５（ｃ）に示されているのは、ケース１２の下降によって各スライダー１６，１７が互いに離されて紐１がスライダー１６，１７から解放された状態（すなわち、調節状態）である。係止状態では、ケース１２の終端部１５ｂが、第２スライダー１７の外側抜け止め部２０ｂに係止しているため、使用者が、ケース１２を把持して、紐１に対して下降させると、第２スライダー１７もケース１２に押されて下降する。各スライダー１６，１７が互いに離れると、各スライダー１６，１７の突部２５ａ，ｂ同士も離れ、突部２５ａ，ｂ同士の間に隙間が生じるため、調節状態となる。
【００３８】
上記のとおり、紐留め具１０が動作する。次に、紐留め具１０の効果を説明する。
【００３９】
各スライダー１６，１７が離れた調節状態では、紐１は、突部２５ａ，ｂ同士の間に生じた隙間に通されているため、紐留め具１０と紐１とは、相対的に自在に移動が可能である（図５（ａ）参照。）。紐１は、引っ張られることによる下方への外力から解放されると、復元力Ｐによって収縮し、その際、第２スライダー１７の突部２５ｂが、収縮する紐１に引っ掛かかることで、第２スライダー１７が引き上げられる（図５（ｂ）参照。）。突部２５ａ，ｂ同士が対面して紐１に食い込むと、突部２５ａ，ｂ同士の間に紐１が係止する係止状態となるため、紐留め具１０は紐１に対して移動しない。すなわち、調節状態での操作は、紐１に沿って紐留め具１０を移動させ、又は、紐留め具１０に対して紐１を引っ張るものであり、一方で、係止状態への操作は、伸長させた紐１を外力から解放するものである。いずれの操作であっても、使用者は、紐留め具１０と紐１とを上下に動かす動作であるため、簡便で観念し易く、一貫性のある操作が実現する。
【００４０】
また、各スライダー１６，１７が互いに近づいた係止状態において、使用者が、ケース１２を把持して、紐１に対して下降させると、第２スライダー１７もケース１２に押されて下降する。各スライダー１６，１７が互いに離れると、各スライダー１６，１７の突部２５ａ，ｂ同士も離れ、突部２５ａ，ｂ同士の間に隙間が生じるため、調節状態となる。すなわち、各スライダー１６，１７に挟まれた紐１を解放する操作は、紐留め具１０を紐１に沿って移動させるものであり、この操作は、調節状態への操作に連続している。したがって、簡便で観念し易く、一貫性のある操作が実現する。
【００４１】
紐留め具１０は、ケース１２の内面に、紐１に平行して上下方向に伸びた内側ガイド部１４ａ，ｂを有し、各スライダー１６，１７の外面に、内側ガイド部１４ａ，ｂに嵌合した外側ガイド部２４ａ，ｂを有している。すなわち、各ガイド部１４ａ，ｂ、２４ａ，ｂを介在することで、ケース１２と各スライダー１６，１７は、直線上で変位することができる。
【００４２】
紐留め具１０の各スライダー１６，１７は、ケース１２の端部にケース１２の外側から係止する外側抜け止め部２０ａ，ｂと、ケース１２の端部に内側から係止する内側抜け止め部２８ａ，ｂとを有している。すなわち、各スライダー１６，１７は、ケース１２から外れることなく、各抜け止め部２０ａ，ｂ、２８ａ，ｂの範囲において、相対的に自在に移動が可能である。したがって、簡便な操作が実現する。
【００４３】
紐留め具１０は、ケース１２、第１スライダー１６及び第２スライダー１７の三部材から構成されるところ、各スライダー１６，１７の構成が同一であるため、ケース１２及び各スライダー１６，１７の二種類の部材で構成され、簡便である。
【００４４】
なお、他の実施形態（図示省略。）では、外側ガイド部は、直線状ではなく、上下において並んだ複数の突起又は単一の突起である。また、他の実施形態（図示省略。）では、内側ガイド部が突起であり、外側ガイド部が、内側ガイド部と嵌合する溝である。また、紐１を伸長させるための外力は、使用者が引っ張る力に対して逆向きであって、紐１を留めようとする外力であれば、アイレット２による摩擦力に限定されない。また、他の実施形態（図示省略。）では、伸縮しない紐が用いられる。
【００４５】
以上、本発明の実施形態を詳述したが、本発明は上記した実施形態に限定されるものではない。そして本発明は、特許請求の範囲に記載された事項を逸脱することがなければ、種々の設計変更を行うことが可能である。例えば、本発明は、衣服のフード、袖、ウエスト、裾、靴などに通された紐、袋、リュックサックなどの袋の口に通された紐など取り付けられる。
【符号の説明】
【００４６】
１          紐
２          アイレット
１０        紐留め具
１１        孔
１２        ケース
１３        収容孔
１４ａ，ｂ  内側ガイド部
１５ａ，ｂ  終端部
１６        第１スライダー（スライダー）
１７        第２スライダー（スライダー）
１８ａ，ｂ  紐通路孔
１９ａ，ｂ  頭部
２０ａ，ｂ  外側抜け止め部
２１ａ，ｂ  胴部
２２ａ，ｂ  長胴片
２３ａ，ｂ  短胴片
２４ａ，ｂ  外側ガイド部
２５ａ，ｂ  突部
２６ａ，ｂ  第１傾斜面部
２７ａ，ｂ  第２傾斜面部
２８ａ，ｂ  内側抜け止め部
Ｐ          収縮力
【図１】
2020204023.tif 000003
【図２】
2020204023.tif 000004
【図３】
2020204023.tif 000005
【図４】
2020204023.tif 000006
【図５】
2020204023.tif 000007
【国際調査報告】
2020204023.tif 000008
2020204023.tif 000009
2020204023.tif 000010
2020204023.tif 000011